【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
同一被写体を透過した放射線によって生成された複数の部分放射線画像を合成して合成画像データを生成するための放射線画像処理装置において、
前記複数の部分放射線画像にそれぞれ付加されている付加情報を取得する取得手段と、
前記取得手段によって取得された付加情報に基づいて、合成を許可するかどうかを判断する判断手段と、
前記判断手段によって合成が許可されないと判断された場合に、合成画像データの生成を禁止する禁止手段を有することを特徴とする放射線画像処理装置。
【請求項２】
前記判断手段は、前記複数の部分放射線画像にそれぞれ付加されている付加情報同士を比較して、合成を許可するかどうかを判断することを特徴とする請求項１に記載の放射線画像処理装置。
【請求項３】
前記付加情報は前記複数の部分放射線画像の患者情報であって、前記判断手段は前記複数の部分放射線画像にそれぞれ付加されている患者情報が一致しない場合には合成を許可しないことを特徴とする請求項２に記載の放射線画像処理装置。
【請求項４】
前記付加情報は、前記複数の部分放射線画像を撮影した撮影装置、前記複数の部分放射線画像を撮影した際の撮影方向、前記複数の部分放射線画像の画素、前記複数の部分放射線画像の検査情報、又は、前記複数の部分放射線画像の撮影日時に関する情報を含み、
前記判断手段は、前記複数の部分放射線画像にそれぞれ付加されている撮影装置、撮影方向、画像、検査情報、及び、撮影日時の少なくとも１つの情報が一致しない場合には合成を許可しないことを特徴とする請求項２又は３に記載の放射線画像処理装置。
【請求項５】
前記付加情報は、前記複数の部分放射線画像の検査情報および撮影日時情報を含み、
前記判断手段は、前記複数の部分放射線画像にそれぞれ付加されている検査情報が一致しない場合には、前記複数の部分放射線画像にそれぞれ付加されている撮影日時情報を比較し、前記撮影日時情報が一致しないばあには合成を許可しないことを特徴とする請求項２に記載の放射線画像処理装置。
【請求項６】
前記複数の部分放射線画像はそれぞれ複数種の付加情報を有し、前記判断手段は前記複数種の付加情報のうち少なくとも２つ以上の付加情報が一致しない場合には合成を許可しないことを特徴とする請求項２に記載の放射線画像処理装置。
【請求項７】
複数の部分放射線画像を合成するための画面領域を表示する表示手段を有し、前記禁止手段は前記判断手段によって合成が許可されないと判断された部分放射線画像の前記画面領域への表示を禁止することを特徴とする請求項１乃至６の何れか１項に記載の放射線画像処理装置。
【請求項８】
前記禁止手段は、前記画面領域への表示が禁止されたときに、警告表示を行うことを特徴とする請求項７に記載の放射線画像処理装置。
【請求項９】
同一被写体を透過した放射線によって生成された複数の部分放射線画像を合成して合成画像データを生成するための放射線画像処理方法において、
前記複数の部分放射線画像にそれぞれ付加されている付加情報を取得する取得ステップと、
前記取得ステップによって取得された付加情報に基づいて、合成を許可するかどうかを判断する判断ステップと、
前記判断ステップによって合成が許可されないと判断された場合に、合成画像データの生成を禁止する禁止ステップを有することを特徴とする放射線画像処理方法。
【請求項１０】
同一被写体を透過した放射線によって生成された複数の部分放射線画像を合成して合成画像データを生成するためのコンピュータプログラムにおいて、
前記複数の部分放射線画像にそれぞれ付加されている付加情報を取得する取得処理と、
前記取得処理によって取得された付加情報に基づいて、合成を許可するかどうかを判断する判断処理と、
前記判断処理によって合成が許可されないと判断された場合に、合成画像データの生成を禁止する禁止処理を有することを特徴とするコンピュータプログラム。
【請求項１１】
請求項１０に記載のコンピュータプログラムを記録したことを特徴とするコンピュータ読み取り可能な記録媒体。
【手続補正２】
【補正対象書類名】明細書
【補正対象項目名】０００９
【補正方法】変更
【補正の内容】
【０００９】
このような課題に鑑み、請求項１に記載した発明は、同一被写体を透過した放射線によって生成された複数の部分放射線画像を合成して合成画像データを生成するための放射線画像処理装置において、前記複数の部分放射線画像にそれぞれ付加されている付加情報を取得する取得手段と、前記取得手段によって取得された付加情報に基づいて、合成を許可するかどうかを判断する判断手段と、前記判断手段によって合成が許可されないと判断された場合に、合成画像データの生成を禁止する禁止手段を有することを特徴とする。
【手続補正３】
【補正対象書類名】明細書
【補正対象項目名】００１１
【補正方法】変更
【補正の内容】
【００１１】
請求項６に記載した発明は、請求項２に記載した発明において、前記複数の部分放射線画像はそれぞれ複数種の付加情報を有し、前記判断手段は前記複数種の付加情報のうち少なくとも２つ以上の付加情報が一致しない場合には合成を許可しないことを特徴とする。
【手続補正４】
【補正対象書類名】明細書
【補正対象項目名】００１２
【補正方法】変更
【補正の内容】
【００１２】
請求項７に記載した発明は、請求項１乃至６の何れか１項に記載した発明において、複数の部分放射線画像を合成するための画面領域を表示する表示手段を有し、前記禁止手段は前記判断手段によって合成が許可されないと判断された部分放射線画像の前記画面領域への表示を禁止することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項１に記載した発明は、同一被写体を透過した放射線によって生成された複数の部分放射線画像を合成して合成画像データを生成するための放射線画像処理装置において、誤った画像合成を防止することができる。
【手続補正７】
【補正対象書類名】明細書
【補正対象項目名】００１５
【補正方法】変更
【補正の内容】
【００１５】
請求項２に記載した発明は、請求項１に記載した発明において、前記判断手段は、前記複数の部分放射線画像にそれぞれ付加されている付加情報同士を比較して、合成を許可するかどうかを判断することによって、複数の部分放射線画像が合成に適しているかを簡単に判断することができる。
【手続補正８】
【補正対象書類名】明細書
【補正対象項目名】００１６
【補正方法】変更
【補正の内容】
【００１６】
請求項６に記載した発明は、請求項２に記載した発明において、前記複数の部分放射線画像はそれぞれ複数種の付加情報を有し、前記判断手段は前記複数種の付加情報のうち少なくとも２つ以上の付加情報が一致しない場合には合成を許可しないことによって、複数の部分放射線画像が合成に適しているかどうかを高い信頼性で判断することができる。
【手続補正９】
【補正対象書類名】明細書
【補正対象項目名】００１７
【補正方法】変更
【補正の内容】
【００１７】
請求項７に記載した発明は、請求項１乃至６の何れか１項に記載した発明において、複数の部分放射線画像を合成するための画面領域を表示する表示手段を有し、前記禁止手段は前記判断手段によって合成が許可されないと判断された部分放射線画像の前記画面領域への表示を禁止することによって、部分放射線画像の合成操作が禁止されてたことが明確に操作者に伝わるとともに、無駄な合成操作を行うことがない。
【手続補正１０】
【補正対象書類名】明細書
【補正対象項目名】００１８
【補正方法】削除
【補正の内容】
【手続補正１１】
【補正対象書類名】明細書
【補正対象項目名】００４５
【補正方法】変更
【補正の内容】
【００４５】
本実施形態では、比較する付帯情報として、ＤＩＣＯＭヘッダに記録される患者ＩＤ情報、撮影装置機種名、撮影方向、画素サイズ情報、検査ＩＤ、撮影日時情報について説明したが、撮影装置が１台しかない場合は、撮影装置機種名、画素サイズ情報については、比較する必要がない。また、撮影方向については、心臓の位置で容易に間違いの判断がつくということであれば、省略しても良い。このときの付帯情報判断手段５の実行される判断フローは、図５に示すようになる。図２において説明したものと同じ符号をつけ、説明を省略する。